(57)【特許請求の範囲】
【請求項１】
サービングセルを形成する第１の基地局と協調セルを形成する第２の基地局とで多地点協調伝送を行う前記第１の基地局において、
前記第２の基地局に、多地点協調伝送のためのリソース協調情報を送信する送信手段、を含み、
前記リソース協調情報は、周波数領域リソースを示す情報及び時間領域リソースを示す情報を含み、
前記周波数領域リソースを示す情報及び前記時間領域リソースを示す情報は、異なるシグナリングを介してそれぞれ送信される、基地局。
【請求項２】
前記リソース協調情報は、空間領域リソースを示す情報をさらに含む、請求項１に記載の基地局。
【請求項３】
前記周波数領域リソースを示す情報は、物理リソースブロックに基づくビットマップ情報を含み、或いはリソースブロックグループに基づくビットマップ情報を含み、
前記時間領域リソースを示す情報は、サブフレームに基づくビットマップ情報を含む、請求項１に記載の基地局。
【請求項４】
前記周波数領域リソースは、前記協調セルのＥ−ＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）の領域を含まず、
前記基地局は、前記第２の基地局により送信された、前記協調セルのＥ−ＰＤＣＣＨの周波数位置を示すための情報を受信する、請求項１に記載の基地局。
【請求項５】
前記時間領域リソースを示す情報は、１つの周期内の多地点協調伝送を行うサブフレームを示すために用いられ、
周波数分割二重化システムについて、前記周期は４０ｍｓであり、
時間分割二重化システムについて、前記周期はアップリンク及びダウンリンクのサブフレームの構成に関連し、構成１〜５について、前記周期が２０ｍｓであり、構成０について、前記周期が７０ｍｓであり、構成６について、前記周期が６０ｍｓである、請求項１に記載の基地局。
【請求項６】
前記基地局は、
多地点協調伝送を行うための時間領域リソースを、前記協調セルのＥ−ＰＤＣＣＨを含むサブフレームと重なっている第１のサブフレーム集合と、前記協調セルのＥ−ＰＤＣＣＨを含むサブフレームと重なっていない第２のサブフレーム集合とに分け、
異なるシグナリングを用いて前記第１のサブフレーム集合及び前記第２のサブフレーム集合の多地点協調伝送を行う周波数領域リソースに対応して、前記リソース協調情報を送信する、請求項１に記載の基地局。
【請求項７】
前記空間領域リソースを示す情報は、前記協調セルがリソースにおいて対応するＰＭＩ（Ｐｒｅｃｏｄｉｎｇ  Ｍａｔｒｉｘ  Ｉｎｄｉｃａｔｏｒ）集合を用いるように、ＰＭＩ集合を示す情報を含む、請求項２に記載の基地局。
【請求項８】
前記基地局はＰＭＩを複数の集合に分割し、
各ＰＭＩ集合は、各サブフレーム内の多地点協調伝送を行う周波数領域リソースの領域に対応する、請求項７に記載の基地局。
【請求項９】
前記リソースは、時間周波数リソース又は周波数領域リソースを含み、
前記周波数領域リソースは連続している、請求項８に記載の基地局。
【請求項１０】
協調セルを形成する第２の基地局とサービングセルを形成する第１の基地局とで多地点協調伝送を行う前記第２の基地局において、
前記第１の基地局から送信された、多地点協調伝送のためのリソース協調情報を受信する受信手段、を含み、
前記リソース協調情報は、周波数領域リソースを示す情報及び時間領域リソースを示す情報を含み、
前記周波数領域リソースを示す情報及び前記時間領域リソースを示す情報は、異なるシグナリングを介してそれぞれ送信される、基地局。
【請求項１１】
サービングセルを形成する第１の基地局と協調セルを形成する第２の基地局とで多地点協調伝送を行う通信システムにおいて、
前記第１の基地局は、前記第２の基地局に、多地点協調伝送のためのリソース協調情報を送信し、
前記リソース協調情報は、周波数領域リソースを示す情報及び時間領域リソースを示す情報を含み、
前記周波数領域リソースを示す情報及び前記時間領域リソースを示す情報は、異なるシグナリングを介してそれぞれ送信される、通信システム。
【発明の詳細な説明】
【技術分野】
【０００１】
本発明は、通信分野に関し、特に非理想的なレイテンシの多地点協調（ＣｏＭＰ：Ｃｏｏｒｄｉｎａｔｅｄ  Ｍｕｌｔｉｐｏｉｎｔ）伝送に基づく情報交換方法、基地局及び通信システムに関する。
【背景技術】
【０００２】
ＬＴＥ−Ａシステムでは、基地局の間に理想的な情報交換を有する協調マルチポイント伝送の方式が導入されている。これは、複数の基地局を用いて協調伝送を行い、セルのエッジのユーザのスループットを向上する。従来の協調伝送方式は、ジョイント伝送、協調スケジューリング、協調ビームフォーミング、伝送ポイント選択技術を含む。これらの基本的な考え方は、セル間の干渉を回避し、さらに隣接セルの干渉を有用な信号に変えることである。
【０００３】
現在の標準でサポートされている協調伝送技術は全て理想的なフィードバック、即ちゼロの交換レイテンシ、無限のフィードバック容量に基づくものである。例えば、このような仮定は、１つの基地局及び複数のＲＦヘッドのネットワークトポロジーにより実現されることができる。
【０００４】
しかし、発明者の発見によると、ネットワークトポロジーの多様化に伴い、より多くのセルはマクロ基地局に分布する。異なるｅＮＢにより制御されたマクロ基地局の間、マクロ基地局とスモールセル基地局との間、スモールセル基地局の間などには非理想的な交換レイテンシが存在する場合がある。基地局間の非理想的な交換レイテンシは、ＣｏＭＰ伝送技術に新たな問題をもたらし、伝送方式の性能に影響を与える。
【０００５】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００６】
本発明の実施例は、基地局間の情報交換により、非理想的な交換レイテンシのＣｏＭＰ伝送への影響を低減又は除去できる情報交換方法、基地局及び通信システムを提供することを目的とする。
【課題を解決するための手段】
【０００７】
本発明の実施例の一の態様では、非理想的なレイテンシを有する第１の基地局と第２の基地局との間に適用される情報交換方法であって、前記第１の基地局により形成されたサービングセルと前記第２の基地局により形成された協調セルとが多地点協調伝送を行い、該方法は、前記第１の基地局が、前記第２の基地局に、多地点協調伝送のためのリソース協調情報を送信し、或いはチャネル状態情報測定のための測定協調情報を送信し、或いはリソース管理集合協調情報を送信し、或いは複数のデータストリームの伝送を行うための空間協調情報を送信するステップ、を含む、方法を提供する。
【０００８】
本発明の実施例の他の態様では、非理想的なレイテンシを有する第１の基地局と第２の基地局との間に適用される情報交換方法であって、前記第１の基地局により形成されたサービングセルと前記第２の基地局により形成された協調セルとが多地点協調伝送を行い、該方法は、前記第２の基地局が、前記第１の基地局から送信された、多地点協調伝送のためのリソース協調情報を受信し、或いはチャネル状態情報測定のための測定協調情報を受信し、或いはリソース管理集合協調情報を受信し、或いは複数のデータストリームの伝送を行うための空間協調情報を受信するステップ、を含む、方法を提供する。
【０００９】
本発明の実施例の他の態様では、基地局であって、前記基地局により形成されたサービングセルと第２の基地局により形成された協調セルとが多地点協調伝送を行い、且つ前記基地局と前記第２の基地局との間に非理想的なレイテンシを有し、前記基地局は、前記第２の基地局に、多地点協調伝送のためのリソース協調情報、チャネル状態情報測定のための測定協調情報、リソース管理集合協調情報、又は複数のデータストリームの伝送を行うための空間協調情報を送信する送信手段、を含む、基地局を提供する。
【００１０】
本発明の実施例の他の態様では、基地局であって、前記基地局により形成された協調セルと第１の基地局により形成されたサービングセルとが多地点協調伝送を行い、且つ前記基地局と前記第１の基地局との間に非理想的なレイテンシを有し、前記基地局は、前記第１の基地局から送信された、多地点協調伝送のためのリソース協調情報、チャネル状態情報測定のための測定協調情報、リソース管理集合協調情報、又は複数のデータストリームの伝送を行うための空間協調情報を受信する受信手段、を含む、基地局を提供する。
【００１１】
本発明の実施例の他の態様では、第１の基地局及び第２の基地局を含む通信システムであって、前記第１の基地局と前記第２の基地局との間に非理想的なレイテンシを有し、前記第１の基地局により形成されたサービングセルと前記第２の基地局により形成された協調セルとが多地点協調伝送を行い、前記第１の基地局は、前記第２の基地局に、多地点協調伝送のためのリソース協調情報、チャネル状態情報測定のための測定協調情報、リソース管理集合協調情報、又は複数のデータストリームの伝送を行うための空間協調情報を送信する、通信システムを提供する。
【００１２】
本発明の実施例の他の態様では、基地局においてプログラムを実行する際に、コンピュータに、上記の情報交換方法を前記基地局において実行させる、コンピュータ読み取り可能なプログラムを提供する。
【００１３】
本発明の実施例の他の態様では、コンピュータに、上記の情報交換方法を基地局において実行させるためのコンピュータ読み取り可能なプログラムを記憶する、記憶媒体を提供する。
【００１４】
本発明の実施例の有益な効果としては、第１の基地局が第２の基地局にＣｏＭＰ伝送のためのリソース協調情報、チャネル状態情報測定のための測定協調情報、リソース管理集合協調情報、又は複数のデータストリームの伝送を行うための空間協調情報を送信することで、非理想的な交換レイテンシのＣｏＭＰ伝送への影響を低減又は除去できる。
【００１５】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１６】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１７】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００１８】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００１９】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】ＣｏＭＰ伝送における協調スケジューリングを示す図である。
【図２】ＣｏＭＰ伝送における伝送ポイントの半静的選択を示す図である。
【図３】ＣｏＭＰ伝送における協調ビームフォーミングを示す図である。
【図４】本発明の実施例１の情報交換方法の１つのフローチャートである。
【図５】本発明の実施例１の情報交換方法のもう１つのフローチャートである。
【図６】本発明の実施例２の情報交換方法の１つのフローチャートである。
【図７】本発明の実施例２のマルチストリームＣｏＭＰ伝送方式を示す図である。
【図８】本発明の実施例３の情報交換方法の１つのフローチャートである。
【図９】本発明の実施例４の情報交換方法の１つのフローチャートである。
【図１０】本発明の実施例５の情報交換方法の１つのフローチャートである。
【図１１】本発明の実施例６の第１の基地局の１つの構成を示す図である。
【図１２】本発明の実施例６の第２の基地局の１つの構成を示す図である。
【図１３】本発明の実施例６の通信システムの１つの構成を示す図である。
【発明を実施するための形態】
【００２０】
図面を参照しながら、本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２１】
表１には、基地局間の非理想的な具体的な交換レイテンシ値の例を示している。表１に示すように、基地局の間、例えば異なるｅＮＢにより制御されたマクロ基地局の間、マクロ基地局とスモールセル基地局との間、スモールセル基地局の間には全て非理想的な交換レイテンシが存在し、具体的な数値は基地局間の交換情報の伝送媒体と関連する。
【表１】
0006256610.tif 000002
【００２２】
非理想的な交換レイテンシについて、現在は３種類のＣｏＭＰ技術、即ち協調スケジューリング、協調ビームフォーミング及び半静的伝送ポイント選択が良い応用見込みを有する。図１は協調スケジューリングを示す図であり、図１に示すように、協調スケジューリングは基地局間の半静的スケジューリング協調によりユーザ間の干渉を低減する。図２は伝送ポイントの半静的選択を示す図であり、図２に示すように、半静的伝送ポイント選択は、伝送ポイントを半静的に選択することで、伝送品質の良いチャネルを選択して伝送を行う。図３は協調ビームフォーミングを示す図であり、図３に示すように、協調ビームフォーミングはセル間のビームを協調することでセル間の干渉を低減する。
【００２３】
これらの協調伝送方式の使用を確保するために、基地局間に協調情報を交換する必要がある。本発明では、協調情報を交換し、対応するシグナリングを設計することが提供されている。一方、これらの伝送方式は、１つの伝送ポイントを用いてユーザに対してデータ伝送を行うが、チャネルを十分に用いてデータ伝送を行うものではない。本発明では、複数の伝送ポイントを用いて複数のデータストリームの伝送を行う方法が提供されている。なお、以下は、１つのサービングセル及び１つの協調セルを一例としてＣｏＭＰ伝送を説明するが、本発明はこれに限定されず、２つ以上のセルのシナリオにも適用されてもよい。
【００２４】
＜実施例１＞
本発明の実施例は、非理想的なレイテンシを有する第１の基地局と第２の基地局との間に適用される情報交換方法を提供し、第１の基地局により形成されたサービングセルと第２の基地局により形成された協調セルとが多地点協調伝送を行う。
【００２５】
図４は本発明の実施例の情報交換方法の１つのフローチャートである。図４に示すように、該方法は下記のステップを含む。
【００２６】
ステップ４０１：第１の基地局は第２の基地局に多地点協調伝送のためのリソース協調情報を送信する。
【００２７】
本実施例では、リソース協調情報は、周波数領域リソースを示す情報を含んでもよいし、周波数領域リソースを示す情報及び時間領域リソースを示す情報を含んでもよいし、周波数領域リソースを示す情報、時間領域リソースを示す情報及び空間領域リソースを示す情報を含んでもよい。
【００２８】
本実施例では、該リソース協調情報は、基地局間のＸ２インターフェイスを介して交換される。ｅＣｏＭＰは、強化された協調技術として、時間、周波数及び空間の領域で干渉協調を行うことができ、より強い柔軟性を有する。
【００２９】
１つの態様では、リソース協調情報は、周波数領域リソースを示す情報を含む。周波数において、一部の物理リソースブロック（ＰＲＢ：Ｐｈｙｓｉｃａｌ  Ｒｅｓｏｕｒｃｅ  Ｂｌｏｃｋ）はＣｏＭＰ伝送のために用いられてもよい。即ち、サービングセル（例えばセル１）は、あるセクションのリソースが干渉の大きいユーザ装置をスケジューリングすることを、シグナリングを介して協調セル（例えばセル２）に通知し、セル２は、できるだけスケジューリングの方法を用いてこのセクションのリソースをミュートして（或いは他の有効な干渉スケジューリング方法）セル１のユーザへの干渉を低減する。
【００３０】
具体的には、周波数領域リソースを示す情報は、ＰＲＢに基づくビットマップ情報を含んでもよい。例えば、ＰＲＢを粒度として、ビットマップにより、どのＰＲＢをスケジューリングでき、どのＰＲＢをミュートする必要があるかを示す。或いは、周波数領域リソースを示す情報は、リソースブロックグループ（ＲＢＧ：Ｒｅｓｏｕｒｃｅ  Ｂｌｏｃｋ  Ｇｒｏｕｐ）に基づくビットマップ情報を含んでもよく、これによって、Ｘ２のシグナリングペイロードを低減できる。例えば、ＲＢＧを粒度として、ビットマップにより、どのＲＢＧをスケジューリングでき、どのＲＢＧをミュートする必要があるかを示す。
【００３１】
なお、本発明はこれに限定されず、例えばＰＲＢの総数を示し、Ｎ個のＰＲＢからＫ個を選択する方法を用いてもよい。実際の状況に応じて具体的な態様を決定してもよい。
【００３２】
本実施例では、周波数領域リソースは、協調セルの拡張された物理ダウンリンク制御チャネル（Ｅ−ＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）の領域を含まなくてもよい。即ち、干渉協調リソースを構成する時に、干渉協調の有効性を確保するために、周波数領域のｅＣｏＭＰ伝送リソースは、協調セルのＥ−ＰＤＣＣＨ領域を排除する必要がある。
【００３３】
図５は本発明の実施例の情報交換方法のもう１つのフローチャートである。図５に示すように、該方法は下記のステップを含む。
【００３４】
ステップ５０１：第１の基地局は、第２の基地局により送信された、協調セルのＥ−ＰＤＣＣＨの周波数位置を示すための情報を受信する。
【００３５】
ステップ５０２：第１の基地局は、第２の基地局に多地点協調伝送のためのリソース協調情報を送信する。
【００３６】
図５に示すように、協調セルはまずＥ−ＰＤＣＣＨ情報をサービングセルに通知してもよく、即ちサービングセルはまずシグナリングを介してＥ−ＰＤＣＣＨリソースの周波数位置を取得し、そして周波数領域のＣｏＭＰ伝送リソースを構成してもよい。
【００３７】
なお、暗黙の方式で協調セルのＥ−ＰＤＣＣＨの周波数位置を示す情報を送信してもよく、第１の基地局は、他の情報に基づいて協調セルのＥ−ＰＤＣＣＨの周波数位置を取得し、他の情報から推定、計算して取得してもよい。
【００３８】
もう１つの態様では、リソース協調情報は、周波数領域リソースを示す情報及び時間領域リソースを示す情報を含む。時間領域では、ＣｏＭＰユーザ及び非ＣｏＭＰユーザのリソース上の合理的な割り当てを確保するために、時間領域ＣｏＭＰサブフレーム指示シグナリングを提供してもよく、即ちＣｏＭＰ伝送は特定のサブフレームのみで発生し、割合は基地局間で協調されてもよい。
【００３９】
この態様では、リソース協調情報は、時間領域リソースを示す情報をさらに含んでもよい。具体的には、時間領域リソースを示す情報は、サブフレームに基づくビットマップ情報を含んでもよい。ＡＢＳ（Ａｌｍｏｓｔ  Ｂｌａｎｋ  Ｓｕｂｆｒａｍｅ）方式は、時間領域半静的干渉協調方式であり、異種ネットワークでは主な干渉協調方式として採用されている。
【００４０】
例えば、ビットマップの方式は、時間領域においてＣｏＭＰ伝送を行うことができるサブフレームを示すために用いられてもよい。アップリンク同期ＨＡＲＱ（ｈｙｂｒｉｄ  ａｕｔｏｍａｔｉｃ  ｒｅｐｅａｔ  ｒｅｑｕｅｓｔ）の伝送を確保するために、ユーザは非ＣｏＭＰの動作モードを用いてＣｏＭＰサブフレーム以外のサブフレームにおいて伝送を行ってもよい。この仮定に基づいて、このシグナリングの周期は１０ｍｓに設定されてもよく、即ち１つのフレーム内のサブフレームは半静的に割り当てられたリソースによりＣｏＭＰ伝送を行うものであるか否かを示す。
【００４１】
表２はｅＣｏＭＰ伝送サブフレームの時間領域シグナリング指示の一例を示す図である。
【表２】
0006256610.tif 000003
【００４２】
表２に示すように、ＣｏＭＰユーザがＣｏＭＰサブフレームだけでスケジューリングを行うことができる場合に、ＡＢＳに類似する指示シグナリングは、１つの周期内のＣｏＭＰ伝送を行うためのサブフレームを示すために用いられる。該シグナリングの周期は、周波数分割二重化（ＦＤＤ：Ｆｒｅｑｕｃｅｎｃｙ  Ｄｉｖｉｓｉｏｎ  Ｄｕｐｌｅｘ）システムについて、４０ｍｓであり、時間分割二重化（ＴＤＤ：Ｔｉｍｅ  Ｄｉｖｉｓｉｏｎ  Ｄｕｐｌｅｘ）システムについて、周期はＴＤＤシステムのアップリンク及びダウンリンクのサブフレームの構成に関連し、例えば構成１〜５についての周期は２０ｍｓであり、構成０についての周期は７０ｍｓであり、構成６についての周期が６０ｍｓである。
【００４３】
この態様では、周波数領域リソースを示す情報及び時間領域リソースを示す情報に対してジョイントを行い、ジョイント時間周波数二次元指示を形成してもよい。
【００４４】
具体的には、周波数領域リソースを示す情報及び時間領域リソースを示す情報は、異なるシグナリングを介してそれぞれ送信されてもよい。例えば、全てのｅＣｏＭＰサブフレームの周波数領域ｅＣｏＭＰリソースは同一であるため、ジョイント二次元指示を時間領域及び周波数領域の指示という２組のシグナリングに分解してもよい。このため、シグナリング形式は簡潔であるが、ｅＣｏＭＰ周波数リソースは各ｅＣｏＭＰサブフレームの使用可能な周波数リソースを協調して考慮する必要がある。
【００４５】
具体的には、各ｅＣｏＭＰサブフレームについて使用可能な周波数リソースをさらに設定してもよい。これによって、割り当ては柔軟であるが、シグナリングのオーバーヘッドは大きく、且つｅＣｏＭＰサブフレームの数に伴って変化する可能性がある。
【００４６】
具体的には、ＣｏＭＰ伝送を行うための時間領域リソースを、協調セルのＥ−ＰＤＣＣＨを含むサブフレームと重なっている第１のサブフレーム集合と、協調セルのＥ−ＰＤＣＣＨを含むサブフレームと重なっていない第２のサブフレーム集合とに分けてもよい。第１の基地局は、異なるシグナリングを用いて第１のサブフレーム集合及び第２のサブフレーム集合のＣｏＭＰ伝送を行う周波数領域リソースに対応して、リソース協調情報を送信する。
【００４７】
例えば、ｅＣｏＭＰサブフレームを２種類に分けて、シグナリングを用いてこの２種類のサブフレームに対応する周波数において用いられるｅＣｏＭＰリソースをそれぞれ設定し、第１種類のサブフレームは協調セルのＥ−ＰＤＣＣＨサブフレームと重なり、第２種類のサブフレームは協調セルのＥ−ＰＤＣＣＨサブフレームと重なっていない。
【００４８】
もう１つの態様では、リソース協調情報は、周波数領域リソースを示す情報、時間領域リソースを示す情報及び空間領域リソースを示す情報を含む。周波数領域及び時間領域について上記の態様を参照してもよく、以下は空間領域について説明する。
【００４９】
具体的には、空間領域リソースを示す情報は、協調セルが時間周波数リソースにおいて対応するＰＭＩ（Ｐｒｅｃｏｄｉｎｇ  Ｍａｔｒｉｘ  Ｉｎｄｉｃａｔｏｒ）集合を用いるように、ＰＭＩ集合を示す情報を含んでもよい。即ち、ＰＭＩを複数の集合に分割し、各ＰＭＩ集合は、各サブフレーム内のＣｏＭＰ伝送を行う周波数領域リソースの領域に対応してもよい。
【００５０】
例えば、空間領域の協調伝送技術をさらにサポートするために、時間周波数領域のｅＣｏＭＰ領域においてＰＭＩを複数の集合に分割し、協調セルは対応するリソースにおいて予め定義されたＰＭＩ集合のみを使用できるようにしてもよい。例えば、１６個のＰＭＩを４つの集合に分け、各サブフレームのｅＣｏＭＰ周波数リソースも４つの領域に分け、各領域は４つのＰＭＩ集合を巡回的に用いる。
【００５１】
ＰＭＩ集合の数が大きいほど、ＰＭＩの直交性が良くなるが、利用可能なｅＣｏＭＰのリソースの連続性が悪くなり、周波数リソースの有効的なスケジューリングに影響を与え、周波数スケジューリングの利得が低減してしまう。従って、妥協案を用いてもよく、例えば２つ又は４つの集合に分ける。ユーザ側は、チャネルが一致した隣接セルのＰＭＩに基づいて、信号対干渉と雑音比を最大化するリソースを選択してスケジューリングを行う。
【００５２】
上記の実施例によれば、第１の基地局が第２の基地局にＣｏＭＰ伝送のためのリソース協調情報を送信する。リソース協調情報は、周波数領域リソースを示す情報を含んでもよいし、周波数領域リソースを示す情報及び時間領域リソースを示す情報を含んでもよいし、周波数領域リソースを示す情報、時間領域リソースを示す情報及び空間領域リソースを示す情報を含んでもよい。これによって、非理想的な交換レイテンシのＣｏＭＰ伝送への影響を低減又は除去できる。
【００５３】
＜実施例２＞
本発明の実施例は非理想的なレイテンシを有する第１の基地局と第２の基地局との間に適用される情報交換方法を提供し、第１の基地局により形成されたサービングセルと第２の基地局により形成された協調セルとが多地点協調伝送を行う。
【００５４】
図６は本発明の実施例の情報交換方法の１つのフローチャートである。図６に示すように、該方法は下記のステップを含む。
【００５５】
ステップ６０１：サービングセルとユーザ装置との間で第１のデータストリームを伝送すると同時に、協調セルとユーザ装置との間で第２のデータストリームを伝送するように、第１の基地局は第２の基地局に複数のデータストリームの伝送を行うための空間協調情報を送信する。
【００５６】
本実施例では、空間チャネル情報をさらに利用するために、複数の基地局は、ユーザ装置に対して、異なるデータストリームを同時に伝送する。ユーザのストリーム間の干渉を低減するために、基地局間では空間情報を協調する。以下は、２つのデータストリームを例として説明する。
【００５７】
図７は本発明の実施例のマルチストリームＣｏＭＰ伝送方式を示す図である。図７に示すように、基地局１と基地局２との間に非理想的なレイテンシを有する。基地局１と基地局２との間の情報交換により、基地局１により形成されたサービングセルとユーザ装置との間にデータストリーム１を伝送できると同時に、基地局２により形成された協調セルとユーザ装置との間にデータストリーム２を伝送できる。これによって、従来技術で１つの伝送ポイントのみを用いてデータを同時に伝送できることと異なって、本発明は複数の伝送ポイントを用いて複数のデータストリームの伝送を同時に行うことができる。
【００５８】
本実施例では、空間協調情報は、ＰＭＩ集合情報を含んでもよく、該ＰＭＩ集合は、第１のデータストリームのチャネルの零空間（ｎｕｌｌ  ｓｐａｃｅ）及び第２のデータストリームの長期空間相関マトリックス（ｌｏｎｇ−ｔｅｒｍ  ｓｐａｔｉａｌ  ｃｏｒｒｅｌａｔｉｏｎ  ｍａｔｒｉｘ）から取得される。また、空間協調情報は、半静的スケジューリング情報、固定のＭＣＳ（Ｍｏｄｕｌａｔｉｏｎ  ａｎｄ  Ｃｏｄｉｎｇ  Ｓｃｈｅｍｅ）情報をさらに含んでもよい。
【００５９】
例えば、ユーザ装置側は基地局１とのチャネルについてＰＭＩ／ＣＱＩ（Ｃｈａｎｎｅｌ  ｑｕａｌｉｔｙ  ｉｎｄｉｃａｔｏｒ）の閉ループフィードバックを行い、第２のデータストリームについて長期空間相関マトリックスに基づくフィードバックをフィードバックし、対応するＰＭＩは１つのＰＭＩ集合（例えば２つ又は４つのＰＭＩ）であってもよく、ＣＱＩはＰＭＩ集合に基づく平均ＣＱＩフィードバック、又はＰＭＩ集合及び開ループＣＱＩフィードバックであってもよい。
【００６０】
伝送段階では、第２の基地局で用いられるＰＭＩは、Ｘ２により交換されたユーザフィードバックに基づくＰＭＩに従って、ＰＲＢにおいて巡回的にプリコーディングされる。基地局間の交換情報は、半静的スケジューリング情報、固定のＭＣＳ情報、及びＰＭＩ集合情報を含み、ＰＭＩ集合は、データストリーム１のチャネルの零空間及びデータストリーム２の長期空間相関マトリックスから取得され、即ちデータストリーム１のチャネル零空間における長期空間相関マトリックスの特徴空間の投影である。
【００６１】
上記の実施例によれば、基地局間の情報交換により、サービングセルとユーザ装置との間で第１のデータストリームを伝送すると同時に、協調セルとユーザ装置との間で第２のデータストリームを伝送する。これによって、空間チャネル情報をさらに利用でき、非理想的な交換レイテンシのＣｏＭＰ伝送への影響を低減又は除去できる。
【００６２】
＜実施例３＞
本発明の実施例は非理想的なレイテンシを有する第１の基地局と第２の基地局との間に適用される情報交換方法を提供し、第１の基地局により形成されたサービングセルと第２の基地局により形成された協調セルとが多地点協調伝送を行う。
【００６３】
図８は本発明の実施例の情報交換方法の１つのフローチャートである。図８に示すように、該方法は下記のステップを含む。
【００６４】
ステップ８０１：第１の基地局は第２の基地局にチャネル状態情報測定のための測定協調情報を送信する。
【００６５】
本実施例では、有効なｅＣｏＭＰ伝送を確保するために、ユーザ装置側はチャネル状態情報（ＣＳＩ：Ｃｈａｎｎｅｌ  Ｓｔａｔｅ  Ｉｎｆｏｒｍａｔｉｏｎ）の測定及び報告を行う必要がある。通常、ユーザ装置側の測定は、ＣＳＩプロセスについて、ＮＺＰ−ＣＳＩ−ＲＳ（ＮＺＰ：Ｎｏｎ−Ｚｅｒｏ  Ｐｏｗｅｒ）及びＺＰ−ＣＳＩ−ＲＳ（ＺＰ：Ｚｅｒｏ  Ｐｏｗｅｒ）の２つの部分を含んでもよく、１つ目の部分はチャネル部分の測定に対応し、２つ目の部分は干渉部分の測定に対応する。これらの情報は、異なるユーザについて独立して構成されてもよい。
【００６６】
基地局間の情報交換量を低減するために、任意の２つの基地局の協調情報について、セルの統一された交換情報を用いてもよい。基地局側は交換情報に基づいてこの２つの部分の参照信号を協調してＣＳＩ測定を行う。
【００６７】
１つの態様では、測定協調情報はＮＺＰ−ＣＳＩ−ＲＳの構成情報を含んでもよい。具体的には、ＮＺＰ−ＣＳＩ−ＲＳの構成情報は、ＣＳＩ−ＲＳ（ＣＳＩ  Ｒｅｆｅｒｅｎｃｅ  Ｓｉｇｎａｌ）のアンテナポート数、ＣＳＩ−ＲＳの１つのリソースブロック内の時間周波数リソース構成情報、ＣＳＩ−ＲＳの時間領域サブフレーム構成情報、ＣＳＩ−ＲＳシーケンスの仮想セル識別子、及びＣＳＩ−ＲＳのＰＤＳＣＨ（Ｐｈｙｓｉｃａｌ  Ｄｏｗｎｌｉｎｋ  Ｓｈａｒｅｄ  Ｃｈａｎｎｅｌ）に対する電力比情報の１つ又は組み合わせを含んでもよい。サービング基地局（例えば第１の基地局）は、これらの情報に基づいて適切なＮＺＰ−ＣＳＩ−ＲＳ情報を構成でき、チャネル部分を測定できる（例えば、協調ビームフォーミング方式に対して有効である）。
【００６８】
もう１つの態様では、測定協調情報はＺＰ−ＣＳＩ−ＲＳの構成情報を含んでもよい。ＺＰ−ＣＳＩ−ＲＳは、共通ＺＰ−ＣＳＩ−ＲＳ及び他のＺＰ−ＣＳＩ−ＲＳを含んでもよい。例えば、共通ＺＰ−ＣＳＩ−ＲＳのリソースでは２つのセルが共にミュートされ、データを伝送しない。他のＺＰ−ＣＳＩ−ＲＳのリソースでは本セルがミュートされ、協調セルがデータを伝送する。
【００６９】
具体的には、ＺＰ−ＣＳＩ−ＲＳについて、基地局は共通ＺＰ−ＣＳＩ−ＲＳと他のＺＰ−ＣＳＩ−ＲＳを協調する必要があり、ユーザ装置は共通ＺＰ−ＣＳＩ−ＲＳを用いて干渉協調状態における干渉を測定し、協調セルは他のＺＰ−ＣＳＩ−ＲＳにおいてデータを伝送し、ユーザ装置は他のＺＰ−ＣＳＩ−ＲＳを用いて干渉無し協調状態における干渉を測定する。基地局間による干渉測定リソースの協調により、ユーザ装置は対応する測定リソースにおいて必要な干渉測定結果を取得する。
【００７０】
例えば、サービング基地局は、自分で構成されたＺＰ−ＣＳＩ−ＲＳ及び他のＺＰ−ＣＳＩ−ＲＳリソースを協調基地局に通知し、協調基地局は、共通ＺＰ−ＣＳＩ−ＲＳに対応する位置にＺＰ−ＣＳＩ−ＲＳを構成し、他のＺＰ−ＣＳＩ−ＲＳに対応する位置にデータ情報を伝送し、ユーザ装置がチャネル干渉情報を正確に測定することを確保する。
【００７１】
この態様では、この２種類のＺＰ−ＣＳＩ−ＲＳの交換シグナリングについて、共通ＺＰ−ＣＳＩ−ＲＳ及び他のＺＰ−ＣＳＩ−ＲＳは、４ポートのＣＳＩ−ＲＳ構成に対応してもよく、例えば同一のサブフレーム構成、即ち同一のサブフレーム周期及びオフセットを用いてもよい。ＺＰ−ＣＳＩ−ＲＳは全帯域の各ＰＲＢに分布し、各時間周波数リソースブロックに用いられるリソースは表３及び表４に示されている。ここで、表３及び表４は通常サイクリックプレフィックス（Ｎｏｒｍａｌ  Ｃｙｃｌｉｃ  Ｐｒｅｆｉｘ）サブフレーム及び拡張サイクリックプリフィックス（Ｅｘｔｅｎｄｅｄ  Ｃｙｃｌｉｃ  Ｐｒｅｆｉｘ）サブフレームの結果をそれぞれ示している。
表３  Ｎｏｒｍａｌ  ＣＰサブフレームについてのＣＳＩ−ＲＳ構成から（ｋ’，ｌ’）へのマッピング
【表３】
0006256610.tif 000004
【００７２】
表３に示すように、Ｎｏｒｍａｌ  ＣＰサブフレームについて、１６ビットを用いて時間周波数リソース位置をそれぞれ示してもよい。
表４  拡張ＣＰサブフレームについてのＣＳＩ−ＲＳ構成から（ｋ’，ｌ’）へのマッピング
【表４】
0006256610.tif 000005
【００７３】
表４に示すように、拡張ＣＰサブフレームについても、１６ビットを用いて時間周波数リソース位置をそれぞれ示してもよい。
【００７４】
また、共通ＺＰ−ＣＳＩ−ＲＳ及び前記他のＺＰ−ＣＳＩ−ＲＳの時間周波数リソース位置は、１６ビットでそれぞれ示され、即ち２つの異なる１６ビットのシグナリングを用いて示されてもよい。或いは、三状態のビットマップ情報で示されてもよく、１つの状態はＺＰ−ＣＳＩ−ＲＳ無しを表し、もう１つの状態は共通ＺＰ−ＣＳＩ−ＲＳを表し、さらにもう１つの状態は他のＺＰ−ＣＳＩ−ＲＳを表す。例えば、０はＺＰ−ＣＳＩ−ＲＳ無しを表し、１は共通ＺＰ−ＣＳＩ−ＲＳを表し、即ち２つのセルは共にミュートされ、データを伝送しなく、２は他のＺＰ−ＣＳＩ−ＲＳを表し、即ちサービングセルがミュートされ、協調セルはデータを伝送する。
【００７５】
また、２つ以上のセルについて実施し、多状態のビットマップを用いて方式を示してもよい。例えば、３つのセル、即ちサービングセル、協調セル１及び協調セル２を例として説明する。０はＺＰ−ＣＳＩ−ＲＳ無しを表し、即ちサービングセルはデータを伝送し、他のセルは特別の測定協調方式を必要としない。１は共通ＺＰ−ＣＳＩ−ＲＳを表し、即ち３つのセルは共にミュートされ、データを伝送しない。２は一部共通ＺＰ−ＣＳＩ−ＲＳを表し、即ち協調セル１はミュートされ、協調セル２はデータを伝送する。３は他のＺＰ−ＣＳＩ−ＲＳを表し、即ちサービングセルはミュートされ、協調セル１及び協調セル２はデータを伝送する。
【００７６】
なお、以上は指示を行う方法を例示的に説明した。しかし、本発明はこれに限定されず、実際の状況に応じて具体的な態様を決定してもよい。
【００７７】
もう１つの態様では、測定協調情報はＺＰ−ＣＳＩ−ＲＳの構成情報を含んでもよい。指示されたＺＰ−ＣＳＩ−ＲＳリソースでは、２つのセルは共にミュートされ、データを伝送しない。具体的なシグナリング設計は、サブフレーム構成情報及び１６ビットリソース指示情報を含む４ポートＣＳＩ−ＲＳ構成シグナリングを再利用してもよい。例えば、０はＺＰ−ＣＳＩ−ＲＳリソースではない、サービングセルの対応リソースを表す。１はＺＰ−ＣＳＩ−ＲＳリソースである、サービングセルの対応リソースを表す。協調セルは「１」に対応するＺＰ−ＣＳＩ−ＲＳリソースでミュートされることが希望される。
【００７８】
上記の実施例によれば、第１の基地局は第２の基地局にチャネル状態情報測定のための測定協調情報を送信する。これによって、非理想的な交換レイテンシのＣｏＭＰ伝送への影響を低減又は除去できる。
【００７９】
＜実施例４＞
本発明の実施例は非理想的なレイテンシを有する第１の基地局と第２の基地局との間に適用される情報交換方法を提供し、第１の基地局により形成されたサービングセルと第２の基地局により形成された協調セルとが多地点協調伝送を行う。
【００８０】
図９は本発明の実施例の情報交換方法の１つのフローチャートである。図９に示すように、該方法は下記のステップを含む。
【００８１】
ステップ９０１：第１の基地局は第２の基地局にリソース管理集合協調情報を送信する。
【００８２】
本実施例では、ＣｏＭＰリソース管理集合は、ＣＳＩ−ＲＳ、共通参照信号（ＣＲＳ：Ｃｏｍｍｏｎ  Ｒｅｆｅｒｅｎｃｅ  Ｓｉｇｎａｌ）又はサウンディング参照信号（ＳＲＳ：Ｓｏｕｎｄｉｎｇ  Ｒｅｆｅｒｅｎｃｅ  Ｓｉｇｎａｌ）の測定により決定されてもよく、ｅＮＢは測定結果によりＣｏＭＰ協調集合を構成してもよい。リソース管理集合協調情報は、ＣＳＩ−ＲＳの構成情報、ＣＲＳの構成情報又はＳＲＳの構成情報を含んでもよい。
【００８３】
具体的には、ＣＳＩ−ＲＳの測定結果を用いて測定集合を管理する場合に、基地局間にＣＳＩ−ＲＳの構成情報を交換する必要がある。ＣＳＩ−ＲＳの構成情報は、ＣＳＩ−ＲＳのアンテナポート数、ＣＳＩ−ＲＳの１つのリソースブロック内の時間周波数リソース構成情報、ＣＳＩ−ＲＳの時間領域サブフレーム構成情報、ＣＳＩ−ＲＳシーケンスの仮想セル識別子、及びＣＳＩ−ＲＳのＰＤＳＣＨに対する電力比情報の１つ又は組み合わせを含んでもよい。
【００８４】
具体的には、ＳＲＳの測定結果を用いて測定集合を管理する場合に、基地局は、ＳＲＳのリソース（例えば時間領域位置帯域幅構成、サブフレーム構成）、シーケンス等の情報を、協調基地局に通知する必要がある。
【００８５】
具体的には、ＣＲＳの測定結果を用いて測定集合を管理する場合に、基地局は、ユーザ装置の測定する必要があるＣＲＳのポート数、シーケンス（ｃｅｌｌ−ＩＤ、ＳＦＮ（ｓｙｓｔｅｍ  ｆｒａｍｅ  ｎｕｍｂｅｒ）番号）、ＭＢＳＦＮ（ｍｕｌｔｉｍｅｄｉａ  ｂｒｏａｄｃａｓｔ  ｓｉｎｇｌｅ  ｆｒｅｑｕｅｎｃｙ  ｎｅｔｗｏｒｋ）構成、さらに測定結果のシステム帯域幅を、協調基地局に通知する必要がある。
【００８６】
上記の実施例によれば、第１の基地局は第２の基地局にリソース管理集合協調情報を送信する。これによって、非理想的な交換レイテンシのＣｏＭＰ伝送への影響を低減又は除去できる。
【００８７】
＜実施例５＞
本発明の実施例は非理想的なレイテンシを有する第１の基地局と第２の基地局との間に適用される情報交換方法を提供し、第１の基地局により形成されたサービングセルと第２の基地局により形成された協調セルとが多地点協調伝送を行う。
【００８８】
本発明は、具体的に実施する際に、実施例１乃至実施例４のいずれかに説明したように、ＣｏＭＰ伝送のためのリソース協調情報、複数のデータストリームの伝送を行うための空間協調情報、ＣＳＩ測定のための測定協調情報、及びリソース管理集合協調情報のうち１つのみを送信してもよい。また、本実施例のように、上記の情報の複数又は全てを送信してもよい。本実施例は実施例１乃至４に基づくものであり、同様な内容について説明が省略される。
【００８９】
図１０は本発明の実施例の情報交換方法の１つのフローチャートである。図１０に示すように、該方法は下記のステップを含む。
【００９０】
ステップ１００１：第１の基地局は第２の基地局にリソース管理集合協調情報を送信する。
【００９１】
ステップ１００２：第１の基地局は第２の基地局にチャネル状態情報測定のための測定協調情報を送信する。
【００９２】
ステップ１００３：第１の基地局は第２の基地局に多地点協調伝送のためのリソース協調情報を送信する。
【００９３】
図１０に示すように、該方法は下記のステップをさらに含んでもよい。
【００９４】
ステップ１００４：サービングセルとユーザ装置との間で第１のデータストリームを伝送すると同時に、協調セルとユーザ装置との間で第２のデータストリームを伝送するように、第１の基地局は第２の基地局に複数のデータストリームの伝送を行うための空間協調情報を送信する。
【００９５】
本実施例では、上記のステップの実行順序はこれに限定されず、実際の状況に応じて決定してもよい。また、上記のステップの１つ又は複数のみを実行してもよく、実際の状況に応じて具体的なステップを決定してもよい。本発明はこれに限定されない。
【００９６】
上記の実施例によれば、第１の基地局が第２の基地局にリソース管理集合協調情報、チャネル状態情報測定のための測定協調情報、多地点協調伝送のためのリソース協調情報、及び複数のデータストリームの伝送を行うための空間協調情報の１つ又は組み合わせを送信する。これによって、非理想的な交換レイテンシのＣｏＭＰ伝送への影響を低減又は除去できる。
【００９７】
＜実施例６＞
本発明の実施例は基地局を提供し、該基地局により形成されたサービングセルと第２の基地局により形成された協調セルとが多地点協調伝送を行い、且つ該基地局と第２の基地局との間に非理想的なレイテンシを有する。実施例１乃至５と同じ内容について説明が省略される。
【００９８】
図１１は本発明の実施例の第１の基地局の１つの構成を示す図である。図１１に示すように、基地局１１００（即ち第１の基地局）は送信部１１０１を含んでもよく、基地局１１００の他の部分は図示されておらず、従来技術を参照してもよい。
【００９９】
送信部１１０１は、第２の基地局に、多地点協調伝送のためのリソース協調情報、チャネル状態情報測定のための測定協調情報、リソース管理集合協調情報、又は複数のデータストリームの伝送を行うための空間協調情報を送信する。
【０１００】
本発明の実施例は基地局をさらに提供し、該基地局により形成された協調セルと第１の基地局により形成されたサービングセルとが多地点協調伝送を行い、且つ該基地局と第１の基地局との間に非理想的なレイテンシを有する。
【０１０１】
図１２は本発明の実施例の第２の基地局の１つの構成を示す図である。図１２に示すように、基地局１２００（即ち第２の基地局）は受信部１２０１を含んでもよく、基地局１２００の他の部分は図示されておらず、従来技術を参照してもよい。
【０１０２】
受信部１２０１は、第１の基地局により送信された、多地点協調伝送のためのリソース協調情報、チャネル状態情報測定のための測定協調情報、リソース管理集合協調情報、又は複数のデータストリームの伝送を行うための空間協調情報を受信する。
【０１０３】
本発明の実施例は第１の基地局及び第２の基地局を含む通信システムをさらに提供し、第１の基地局と第２の基地局との間に非理想的なレイテンシを有し、第１の基地局により形成されたサービングセルと第２の基地局により形成された協調セルとが多地点協調伝送を行う。
【０１０４】
図１３は本発明の実施例の通信システムの１つの構成を示す図である。図１３に示すように、通信システム１３００は第１の基地局１３０１、第２の基地局１３０２及びユーザ装置を含む。
【０１０５】
第１の基地局１３０１は、第２の基地局１３０２に、多地点協調伝送のためのリソース協調情報、チャネル状態情報測定のための測定協調情報、リソース管理集合協調情報、又は複数のデータストリームの伝送を行うための空間協調情報を送信する。
【０１０６】
本発明の実施例は、基地局においてプログラムを実行する際に、コンピュータに、上記実施例１乃至５に記載の情報交換方法を該基地局において実行させる、コンピュータ読み取り可能なプログラムをさらに提供する。
【０１０７】
本発明の実施例は、コンピュータに、上記実施例１乃至５に記載の情報交換方法を基地局において実行させるためのコンピュータ読み取り可能なプログラムを記憶する、記憶媒体をさらに提供する。
【０１０８】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０１０９】
一つ以上の機能ブロックおよび/または添付の図面内の機能ブロックの一つ以上の組合せは、汎用プロセッサ、デジタル信号プロセッサ（ＤＳＰ）、特定用途向け集積回路（ＡＳＩＣ）、フィールド・プログラマブル・ゲートとして実現されてもよいアレイ（ＦＰＧＡ）または他のプログラマブル論理デバイス、ディスクリートゲートまたはトランジスタ論理装置、ディスクリートハードウェアコンポーネント、またはそれらの任意の適切な組み合わせが挙げられる。これらはまた、例えば、ＤＳＰとマイクロプロセッサの組み合わせとして、コンピューティング機器の組み合わせとして通信ＤＳＰと組み合わせて、または任意の他のそのような構成における1つまたは複数のマイクロプロセッサ、複数のプロセッサを実現することができる。
【０１１０】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
0006256610.tif 000006
【図２】
0006256610.tif 000007
【図３】
0006256610.tif 000008
【図４】
0006256610.tif 000009
【図５】
0006256610.tif 000010
【図６】
0006256610.tif 000011
【図７】
0006256610.tif 000012
【図８】
0006256610.tif 000013
【図９】
0006256610.tif 000014
【図１０】
0006256610.tif 000015
【図１１】
0006256610.tif 000016
【図１２】
0006256610.tif 000017
【図１３】
0006256610.tif 000018